(57)【要約】      （修正有）【課題】カメラを使うとき、カバーが邪魔にならず、確実に写真撮影できるカバーを備えたスマートフォンを提供する。【解決手段】カメラ６を備えたスマホ本体１と、このスマホ本体にきつく装着した本体カバー部２と、この本体カバー部に屈曲部４で連接しスマホ表面を覆う蓋カバー部３とを備え、蓋カバー部のほぼ中央に折り返し溝５を設け、カメラを使用するときは蓋カバー部をスマホ本体の裏側に折り曲げ、更に折り返し溝で折り返して撮影できるようにした。【選択図】図１
0003228097.tif 000002
【実用新案登録請求の範囲】
【請求項１】
カメラを備えたスマホ本体と、このスマホ本体にきつく装着した本体カバー部とからなり、この本体カバー部に屈曲部で連接しスマホ表面を覆う蓋カバー部と、前記蓋カバー部のほぼ中央に折り返し溝とを設け、カメラを使用する場合には前記蓋カバー部をスマホ本体の裏側に折り曲げ、更に前記折り返し溝部で折り返して撮影できるようにしたスマートフォン。
【考案の詳細な説明】
【技術分野】
【０００１】  本考案は、スマートフォン（以下、スマホと略称する。）に関し、特に、衝撃を緩和するカバーを備え、カメラで写真を撮るのに好適なスマートフォンに関する。
【背景技術】
【０００２】、現在のスマホは、年々、持ち運びのために薄く軽量化が図られているので、外部の衝撃に弱い構成になっている。
特に、床や道路に落すと破損は免れなく、多くの場合、画面にひびが入る虞を有している。
ひびが入ると、スマホは、もはや使用することができないので、最近では、衝撃を緩和するためにスマホ本体をカバーで包んだものが出現している。【０００３】  カバーはスマホ本体を一体的に包んでおり、カメラを使用するときはカバーを開いて操作するようになっている。
このとき、開いたカバーがカメラを塞ぐことがあり、撮影を邪魔することは良く経験する。
【先行技術文献】
【特許文献】
【０００４】
【特許文献１】特開２０２０−６５８９７号公報
【考案の概要】
【考案が解決しようとする課題】
【０００５】  一方、前記に着目し、撮影を邪魔しないカバーが提案されている。以下、説明する。【０００６】  前記公報に開示されたものは、カバーを別体としたもので、使用に際しては、
「基台面４の左半面の１箇所のみをスマホを嵌合させることで、カバー基台面半面を裏側に折りたたみ背面カメラを露出させる」としている（公報の明細書参照）。【０００７】  すなわち、この公報に記載された発明は、１．カバーは別体である。２．使用に際しては、スマホをカバーの一部に嵌合する。３．カバーを裏側に折り返す、という手順が必要である。
これは、スマホをカバーの一部に挟んでいることで、スマホを確実、安定して保持できないことと準備に時間を要するという欠点を有しているものである。
カバーでスマホを確実に保持できないことは、スマホを落とす心配があり、又、準備に時間が掛かることは、シャッターチャンスを逃がすことにもなる。
本考案は、これらの課題を克服するためになされたものである。【０００８】  前記に着目し、本考案の目的は、カメラを使うとき、カバーが邪魔にならず、、確実に写真撮影できるカバーを備えたスマートフォンを提供することにある。
【課題を解決するための手段】
【０００９】  前記目的は、カメラを備えたスマホ本体と、このスマホ本体にきつく装着した本体カバー部と、この本体カバー部に屈曲部で連接しスマホ表面を覆う蓋カバー部とを備え、前記蓋カバー部のほぼ中央に折り返し溝を設け、カメラを使用する場合には前記蓋カバー部をスマホ本体の裏側に折り曲げ、更に前記折り曲げ溝部で折り返すことによって達成される。
【考案の効果】
【００１０】  前記で述べた本考案によれば、カメラを使用する場合、蓋カバー部を後側に折り畳たんでスマホの裏面に密着するように構成したので、カメラを使うとき、カバーが邪魔にならず、確実に写真撮影できるスマートフォンを提供することができたものである。
言い換えると、撮影に当たっては、スマホと一体になされたカバーを手でスマホ裏面に強く押し当て、カバーが不用意に動くのを防止し、更に、カメラを塞ぐことがないようにできたということである。
【図面の簡単な説明】
【００１１】
【図１】図１は、本考案の一実施例を示すもので、蓋カバー部を開いた状態の正面図。
【図２】同じく蓋カバー部を開いた状態の下面図。
【図３】同じく蓋カバー部を折り返し、カメラを使用する状態の下面図。
【図４】本考案が適用されるスマートフォンの外観図を示すもので、（イ）は正面図、（ロ）は同じく右側面図、（ハ）は同じく裏面図。
【考案を実施するための形態】
【００１２】  先ず、図４を参照してスマホの外観を説明すると、１は、スマホ本体で、表面に操作画面（図示されていない）を備えている。２はスマホ本体１をきつく収納装着する本体カバー部で、合成樹脂で成形されている。
【００１３】  ３は、前記本体カバー部２に屈曲部４で連接形成された蓋カバー部で、前述と同様に合成樹脂で成形されている。屈曲部４は、合成樹脂で成形するとき他よりも薄く成形してある。
又、この屈曲部４は、スマホ本体１の側面に当接するもので、その厚さはスマホ本体１の厚さと同じか、僅かに大きい寸法にし、蓋カバー部３が容易に屈曲できるようにしてある。
【００１４】  又、蓋カバー部３のほぼ中央部には、折り返し溝５を形成し、カメラを使用するときに折り返すためのものである。この折り返し溝は、他の部分より可及的に薄く成形し、折り返しし易くしている。
６は、スマホ本体１の裏面に臨ませてあるカメラで、この一実施例では片側に配し、裏カバー部３を畳んだときカメラ６を塞ぐことがないように構成されている。
【００１５】  ７は、本体カバー部２の右側端に設けた磁石、８は、蓋カバー部３の左側端に設けた磁石８で、磁石７と磁石８は相互に吸着し、吸着と脱着で蓋カバー部３を開閉する。
磁石７、８は、一実施例では両者を磁石にしたが、磁石の一方を薄い鉄板のような磁性体にしても良い。
【００１６】  前述の構成によって、カメラ６を使用しないときは、スマホ本体１の表面に蓋カバー部３を被せる。このとき、両磁石７、８は吸着し、蓋カバー部３は表面（画面）を保護した状態を維持する。
カメラを使用するときは、磁石７と磁石８の吸着を開放し、、蓋カバー部３を開いてカメラを露出させる。
【００１７】  次に使用方法を説明する。
▲１▼先ず、図１、図２のように、磁石７，８を開放し、蓋カバー部３を開く。
画面が開いているので、通話やメールなど通常の操作は可能となる。
▲２▼カメラを使用するときは、図３のように、蓋カバー部３を屈曲部４でスマホ本体１の裏側に折り曲げ、更に、折り返し溝５で折り返せば、裏カバー部３は本体カバー部２の裏面で折り畳まれる。このとき、カメラ６は露出しているのでカメラは使用状態になる。
又、裏カバー部３を図３のように畳み、スマホ本体１の裏面に手で密着押圧すれば、写真のみならず通常の電話ができるようになる。
【００１８】  尚、本考案では、特許文献のように、スマホの一部を別体のカバーに挟む必要がないので、写真を撮るときスマホを落下する虞がない。
又、スマホをカバーに挟み込む必要がないので、準備が不要で、迅速に写真を撮ることができ、シャッターチャンスを逸することがない。
【００１９】  以上述べたように、本考案によれば、カメラを使用する場合、蓋カバー部をスマホ本体の後側に折り畳み、スマホ本体の裏面に密着するように構成したので、カバーが邪魔にならず、確実に写真を撮ることができる。
又、裏カバー部を手でスマホ裏面に強く押し当てることができたので、カバーが不用意に動き、カメラを塞ぐことがない効果を有する。
【符号の説明】  １…スマホ本体、２…本体カバー部、３…蓋カバー部、４…屈曲部、５…折り返し溝、６…カメラ、７、８…磁石
【図１】
0003228097.tif 000003
【図２】
0003228097.tif 000004
【図３】
0003228097.tif 000005
【図４】
0003228097.tif 000006